【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
モバイル動作が可能な第1のデバイスであって、ワイドエリアネットワーク(WAN)へとワイヤレスに直接、または、モバイル動作が可能であり前記WANにワイヤレスに接続された第2のデバイスへのワイヤレス接続を介して間接的に、情報を通信し、
前記第1のデバイスが依存し得る第2のデバイスの能力および機能に関する情報を、前記第1のデバイスおよび前記第2のデバイスの間の低電力の短距離通信を確立するペアリングルーチンの一部として、交換し、
前記第1のデバイスと第2のデバイスとの間で確立されている前記ワイヤレス接続を介して、前記第2のデバイス上で同様に見いだされる前記第1のデバイス上のWAN通信機能、および、重複機能を選択的にパワーダウンまたは非アクティブ化する
ように動作可能であり、
前記第1のデバイスは、前記WANへのそれ自体の接続のために前記第2のデバイスによって通常確立されるものと区別可能である前記第1のデバイスと前記第2のデバイスの間で確立された前記ワイヤレス接続を介して前記WANとデータを送受信するように構成された、
第1のデバイス。
【請求項２】
前記重複機能が、心拍数センサ機能、血圧センサ機能、ジャイロスコープ機能、加速度計機能、歩数計機能、温度計機能、血糖値測定器機能、およびこれらの組合せからなる群から選択される重複機能である、請求項1に記載の第1のデバイス。
【請求項３】
前記重複機能は、測位機能である、請求項1に記載の第1のデバイス。
【請求項４】
前記第1のデバイスと前記第2のデバイスとの間で確立されていないワイヤレス接続に関連する、前記第1のデバイス上の重複機能をパワーアップするステップをさらに含む、請求項1に記載の第1のデバイス。
【請求項５】
前記ワイヤレス接続がWi-Fiリンクである、請求項1に記載の第1のデバイス。
【請求項６】
前記ワイヤレス接続がBluetooth(登録商標)リンクである、請求項1に記載の第1のデバイス。
【請求項７】
モバイルデバイスを通じて、装着型ワイヤレスポータブルデバイスと遠隔通信ネットワークとの間で情報を通信する方法であって、
前記モバイルデバイスへの低電力の短距離通信リンクが確立され得るかどうかを判定するステップと、
低電力の短距離通信リンクが確立され得ると判定したことに応答して、前記モバイルデバイスへの前記低電力の短距離通信リンクを確立するステップと、
前記装着型ワイヤレスポータブルデバイスが依存し得るモバイルデバイスの能力および機能に関する情報を、前記装着型ワイヤレスポータブルデバイスおよび前記モバイルデバイスの間の低電力の短距離通信を確立するペアリングルーチンの一部として、交換するステップと、
モバイルデバイスとの前記低電力の短距離通信リンクを確立したことに応答して、前記モバイルデバイス上で同様に見いだされる前記装着型ワイヤレスポータブルデバイスの中の重複機能、および、前記装着型ワイヤレスポータブルデバイスの中のワイドエリアネットワーク(WAN)通信回路を選択的にパワーダウンまたは非アクティブ化し、前記低電力の短距離通信リンクを介して、前記モバイルデバイスを通じて前記遠隔通信ネットワークと通信するステップであって、前記装着型ワイヤレスポータブルデバイスは、前記WANへのそれ自体の接続のために第2のデバイスによって通常確立されるものと区別可能である前記装着型ワイヤレスポータブルデバイスと前記モバイルデバイスの間で確立された低電力の短距離通信リンクを介して前記WANとデータを送受信する、ステップと、
を含む、方法。
【請求項８】
前記モバイルデバイスと前記装着型ワイヤレスポータブルデバイスとの間の低電力の短距離通信リンクが確立され得ないときに、前記装着型ワイヤレスポータブルデバイスの中のWAN通信回路をアクティブ化するステップと、前記アクティブ化されたWAN通信回路を介して、前記遠隔通信ネットワークと通信するステップとを含む、請求項7に記載の方法。
【請求項９】
低電力の短距離通信リンクが前記装着型ワイヤレスポータブルデバイスのプロセッサによって実行されるかどうかを判定するステップを含むか、または、
前記低電力の短距離通信リンクを介して前記遠隔通信ネットワークと通信するステップが、
前記モバイルデバイスに前記遠隔通信ネットワークへのネットワーク接続を確立させるように構成される制御メッセージを、前記装着型ワイヤレスポータブルデバイスにおいて生成するステップと、
前記低電力の短距離通信リンクを通じて、前記制御メッセージを前記モバイルデバイスに送信するステップと、
前記モバイルデバイスが前記遠隔通信ネットワークへの前記ネットワーク接続を確立したことを示す応答メッセージを、前記装着型ワイヤレスポータブルデバイスにおいて受信するステップと、
前記低電力の短距離通信リンクを通じて、前記モバイルデバイスと通信するステップと、
前記装着型ワイヤレスポータブルデバイスにおいて、前記ネットワーク接続を通じて、前記遠隔通信ネットワークから前記モバイルデバイスに送信されるコンテンツを受信するステップとを含み、前記コンテンツが、前記低電力の短距離通信リンクを介して前記装着型ワイヤレスポータブルデバイスにおいて受信される、請求項7に記載の方法。
【請求項１０】
前記低電力の短距離通信リンクを通じて前記制御メッセージを前記モバイルデバイスに送信するステップが、前記モバイルデバイスに前記遠隔通信ネットワークへの前記ネットワーク接続を確立させるように構成される制御メッセージを送信するステップを含み、
前記低電力の短距離通信リンクを通じてデータを前記モバイルデバイスに送信し、前記ネットワーク接続を通じて前記遠隔通信ネットワークから前記モバイルデバイスへ送信されるコンテンツを受信するステップが、前記低電力の短距離通信リンクを介してデータを送信して受信することによって、前記装着型ワイヤレスポータブルデバイスが前記モバイルデバイスの前記ネットワーク接続を介して前記遠隔通信ネットワークにアクセスするステップを含むか、
または、
前記モバイルデバイスに対する前記低電力の短距離通信リンクが確立され得るかどうかを判定するステップが、前記装着型ワイヤレスポータブルデバイスが前記モバイルデバイスの通信範囲内にあるかどうかを判定するステップを含み、
前記モバイルデバイスと前記装着型ワイヤレスポータブルデバイスとの間で低電力の短距離通信リンクが確立され得ないときに、前記装着型ワイヤレスポータブルデバイスの中のWAN通信回路をアクティブ化して、前記アクティブ化されたWAN通信回路を介して前記遠隔通信ネットワークと通信するステップが、前記装着型ワイヤレスポータブルデバイスが前記モバイルデバイスの通信範囲内にないと前記装着型ワイヤレスポータブルデバイスが判定するときに、前記WAN通信回路をアクティブ化するステップを含む、請求項9に記載の方法。
【請求項１１】
前記低電力の短距離通信リンクを通じて、前記装着型ワイヤレスポータブルデバイスによって、前記モバイルデバイスの1つまたは複数の機能を制御するステップをさらに含むか、または、
前記低電力の短距離通信リンクを介して、前記モバイルデバイスの着信する通信を前記装着型ワイヤレスポータブルデバイスにおいて受信するステップと、
前記着信する通信をユーザに知らせるためのユーザ通知を、前記装着型ワイヤレスポータブルデバイスにおいて生成するステップとをさらに含む、請求項9に記載の方法。
【請求項１２】
前記ユーザ通知を生成するステップが、前記装着型ワイヤレスポータブルデバイスの電子ディスプレイにメッセージを表示するステップを含むか、または、
前記ユーザ通知を生成するステップが、前記装着型ワイヤレスポータブルデバイスからの可聴の音または振動を出力するステップを含む、請求項11に記載の方法。
【請求項１３】
前記モバイルデバイスへの通信および前記モバイルデバイスからの通信をルーティングするように構成されるサーバに登録するステップをさらに含み、
前記低電力の短距離通信リンクを通じて前記制御メッセージを前記モバイルデバイスに送信するステップが、前記制御メッセージを前記サーバに送信するステップを含み、
前記遠隔通信ネットワークへの前記ネットワーク接続を前記モバイルデバイスが確立したことを示す前記応答メッセージを受信するステップが、前記サーバから前記応答メッセージを受信するステップを含む、請求項11に記載の方法。
【請求項１４】
前記モバイルデバイスへの前記低電力の短距離通信リンクが確立され得るかどうかを判定するステップが、
手首ディスプレイ、
ブレスレット、
ベルトのバックル、
メダル、
ペンダント、
ペン、および
キーチェーンの1つに含まれるプロセッサにおいて、前記低電力の短距離通信リンクが確立され得るかどうかを判定するステップを含む、請求項10に記載の方法。
【請求項１５】
前記モバイルデバイスへの前記低電力の短距離通信リンクを確立したことに応答して、リソースをパワーダウンまたは非アクティブ化するステップをさらに含む、請求項7に記載の方法。
【請求項１６】
前記リソースをパワーダウンまたは非アクティブ化するステップが、前記モバイルデバイスへの前記低電力の短距離通信リンクを確立したことに応答して、全地球測位システム受信機をパワーダウンまたは非アクティブ化するステップを含む、請求項15に記載の方法。
【請求項１７】
前記重複機能は、測位機能である、請求項7に記載の方法。
【請求項１８】
請求項7乃至17の何れか1項に記載の方法を実施するように構成された手段を備える、装着型ワイヤレスポータブルデバイス。